【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
白色光源に基づく照明システム用の有色ミラーであって、
コーティング、フィルム、又はパネルによって形成されたミラー面と、
当たる白色光の長波長成分に対して、当たる白色光の短波長成分を優先的に散乱させる拡散層であって、前記ミラー面の前方の拡散層と、
を備え、
前記拡散層は、
２５０ｎｍ未満の平均サイズの光散乱中心（９４）からなる第１の分散部と、
前記光散乱中心（９４）の前記第１の分散部が埋め込まれ、レイリー領域又はそれに類する領域で光を散乱させる透明ポリマー層（１４）と、
を備え、
前記有色ミラーは、
前記第１の分散部の光散乱中心の平均サイズの５倍以上の平均サイズの光散乱中心からなり１μｍ以上のサイズの第２の分散部であって、透明ポリマー層（１４）又は別の透明ポリマー層（７６）に埋め込まれた第２の分散部を更に備えることで、厚さが変化する層及び／又は前記第２の分散層が無く、前記第１の分散部のみが備えられる場合に対して５０％未満のミラー角の白色光に対する反射率を有する、
有色ミラー。
【請求項２】
前記拡散層の物理的な厚さが横方向において変化する構成と、
前記拡散層の光学的な厚さが横方向において変化する構成と、
前記有色ミラー（１０）の別の透明層の物理的な厚さが横方向において変化する構成と、
前記有色ミラー（１０）の別の透明層の光学的な厚さが横方向において変化する構成と、
のうち少なくとも１つの構成を更に備え、
前記備えられた構成の変化は、１０〜２００変調／ｍｍの範囲内の平均空間周波数を有する厚さ変調と、０．０５〜２変調／ｍｍの範囲内の厚さ変調の横サイズ及び深さの比とを含む、
請求項１に記載の有色ミラー。
【請求項３】
白色光源に基づく照明システム用の有色ミラーであって、
コーティング、フィルム、又はパネルによって形成されたミラー面と、
当たる白色光の長波長成分に対して、当たる白色光の短波長成分を優先的に散乱させる拡散層であって、前記ミラー面の前方の拡散層と、
を備え、
前記拡散層は、
２５０ｎｍ未満の平均サイズの光散乱中心（９４）からなる第１の分散部と、
前記光散乱中心（９４）の前記第１の分散部が埋め込まれ、レイリー領域又はそれに類する領域で光を散乱させる透明ポリマー層（１４）と、
を備え、
前記有色ミラーは、
前記拡散層の物理的な厚さが横方向において変化する構成と、
前記拡散層の光学的な厚さが横方向において変化する構成と、
前記有色ミラー（１０）の別の透明層の物理的な厚さが横方向において変化する構成と、
前記有色ミラー（１０）の別の透明層の光学的な厚さが横方向において変化する構成と、
のうち少なくとも１つの構成を備え、
前記備えられた構成の変化は、１０〜２００変調／ｍｍの範囲内の平均空間周波数を有する厚さ変調と、０．０５〜２変調／ｍｍの範囲内の厚さ変調の横サイズ及び深さの比とを含むことで、厚さが変化する層及び／又は前記第２の分散層が無く、前記第１の分散部のみが備えられる場合に対して５０％未満のミラー角の白色光に対する反射率を有する、
有色ミラー。
【請求項４】
前記ミラー面（１２）及び前記拡散層（１４）は、
組み合わせにより、波長が４５０ｎｍの青色光に対して１０％、２０％、又は３０％を超える反射でヘイズを生成し、
波長が６５０ｎｍで入射する赤色光に対し、前記青色光に対するものよりも大きくても２分の１の反射でヘイズを生成する、
請求項１乃至３のうちいずれか一項に記載の有色ミラー。
【請求項５】
厚さが変化する前記層は、厚さが変化する前記層を内向きに横切り、前記ミラー面で反射され、厚さが変化する前記層を外向きに再び横切る光が低角度拡散をするように構成された、
請求項２乃至４のうちいずれか一項に記載の有色ミラー。
【請求項６】
厚さが変化する前記層は、厚さが変化する前記層を内向きに横切り、前記ミラー面（１２）で反射され、厚さが変化する前記層を外向きに再び横切る波長６５０ｎｍの赤色光線が、入射確率が均一の空間であると仮定した場合に、正反射の方向から０．１°〜２０°、０．１°〜１０°、又は０．１°〜３°の範囲で、少なくとも５０％の角度偏移をする確率を有するように構成された、
請求項２乃至５のうちいずれか一項に記載の有色ミラー。
【請求項７】
厚さが変化する前記層は、前記有色ミラーが、厚さが変化する前記層がないミラー面の場合に対して２５％未満、又は５％未満の反射率を有するように構成された、
請求項２乃至６のうちいずれか一項に記載の有色ミラー。
【請求項８】
前記有色ミラー（１０）の拡散反射率が、５０％を超え、８０％を超え、又は９０％を超える、
請求項１乃至７のうちいずれか一項に記載の有色ミラー。
【請求項９】
前記拡散層（１４）は、前記ミラー面（１２）に堆積された１００μｍより薄いコーティング又はフィルムである、
請求項１乃至８のうちいずれか一項に記載の有色ミラー。
【請求項１０】
透明パネル（９８）を更に備え、
前記ミラー面及び前記拡散層は、それぞれ前記透明パネルの同一面又は反対面のファセットに堆積された１００μｍより薄いコーティング又はフィルム（１００、１０２）である、
請求項１乃至９のうちいずれか一項に記載の有色ミラー。
【請求項１１】
接着性透明ポリマーフィルムを挟む２個のフロートガラスシート（１０４、１０６）を含む層状ガラスパネルを更に備え、
前記接着性ポリマーフィルムに面する前記２個のフロートガラスシートのファセットが前記２個のガラスシートのガラススズ面を形成し、前記ミラー面が、前記２個のフロートガラスシートのうちの一方の空気面に堆積された第１のコーティング又はフィルムであり、前記拡散層が、前記２個のフロートガラスシートのうちのもう一方の空気面に堆積された第２のコーティング又はフィルムである、
請求項１乃至１０のうちいずれか一項に記載の有色ミラー。
【請求項１２】
２個のフロートガラスシート（１０４、１０６）と、前記２個のフロートガラスシート（１０４、１０６）に挟まれる前記拡散層（１０８）を接着性透明ポリマーフィルム（１０８）として含む拡散パネルを更に備え、
前記拡散層（１０８）は、２５０ｎｍ未満の平均サイズの光散乱中心からなる前記第１の分散部が埋め込まれた、
請求項１乃至１１のうちいずれか一項に記載の有色ミラー。
【請求項１３】
前記ミラー面は、Ａｌ金属ミラー箔で形成され、
前記拡散層は、前記Ａｌ金属ミラー箔の上に堆積された１００μｍより薄いコーティング又はフィルムである、
請求項１乃至１２のうちいずれか一項に記載の有色ミラー。
【請求項１４】
光散乱中心（９４）からなる前記第１の分散部は、直径が２５０ｎｍ未満の無機ナノ粒子を含み、近ＵＶ及び／又は可視光放射によって誘発される光触媒作用に対して保護される、
請求項１乃至１３のうちいずれか一項に記載の有色ミラー。
【請求項１５】
外部大気中の作用物に耐性がある透明材料で作られた保護層を更に含み、
前記拡散層は、前記Ａｌ金属ミラー箔（１１０）と前記保護層（１１２）の間に挟まれた、
請求項１４に記載の有色ミラー。
【請求項１６】
外部大気中の作用物に耐性がある透明材料で作られた保護層を更に含む、
請求項１乃至１３のうちいずれか一項に記載の有色ミラー。
【請求項１７】
前記ミラー面（１２）は、凹面に成形され、又は、凹面放物線形状を有する、
請求項１乃至１６のうちいずれか一項に記載の有色ミラー。
【請求項１８】
前記ミラー面（１２）は、前記ミラー面（１２）の面積の平方根の１倍未満、又は、前記ミラー面（１２）の面積の平方根の４分の１未満の焦点距離を有する、
請求項１７に記載の有色ミラー。
【請求項１９】
環境中で空及び太陽の照明をシミュレーションする照明システムであって、
請求項１乃至１８のうちいずれか一項に記載の有色ミラーと、
前記有色ミラーを照明するように構成された、白色光源としての照明器（２６）と、
を備えた照明システム。
【請求項２０】
前記有色ミラーの下流に配置された半透明層（８４）を更に備え、
前記半透明層（８４）は、５％〜７０％、１０％〜５０％、又は２０％〜４０％の範囲の一定の透過率を有し、
前記半透明層（８４）は、前記光の２０％未満を吸収するように構成され、及び／又は、ファブリックテントである、
請求項１９に記載の照明システム。
【請求項２１】
前記有色ミラー（１０）は、凹面に成形され、
前記照明器（２６）は、前記有色ミラー（１０）で正反射される前記照明器（２６）からの光が平行化されるように、前記有色ミラー（１０）の焦点面に配置された、
請求項１９又は２０に記載の照明システム。
【請求項２２】
前記照明器（２６）及び前記有色ミラー（１０）は、伸長軸（ｘ）に沿って細長く形成され、
前記有色ミラーは、前記伸長軸に垂直の面に凹面に成形され、
前記照明器（２６）は、前記伸長軸に垂直の第１の面における第１の角度に対する輝度プロファイルの依存関係に関する限り、角度及び空間輝度の広いプロファイルを有し、それによって、前記第１の面における角発散が大きい光ビームが、伸長方向に平行な座標に対する輝度プロファイルの依存関係に関する限り、実質的に一定になり、それによって、前記伸長方向に沿って輝度が空間的に均一になり、また、前記第１の面に垂直である、かつ前記照明器の最大輝度の方向を含む、第２の平面における第２の角度に対する輝度プロファイルの依存関係に関する限り、狭いピークを特徴とし、それによって、前記第２の面で実質的に平行化されている光ビームがもたらされる、
請求項１９乃至２１のうちいずれか一項に記載の照明システム。
【請求項２３】
前記照明器（２６）は、発光器（５８）と、前記第２の面内の発光体から放出された光ビームの角発散に関する限り、前記発光器から放出された光を集束させるように構成されたＣＰＣ反射器（６０）との一連の対を含み、前記対が前記伸長方向に沿って順に並べて配置された、
請求項２２に記載の照明システム。
【請求項２４】
請求項１９乃至２３のうちいずれか一項に記載の照明システムのアレイであって、
前記有色ミラー（１０）によって正反射される光が、同じ方向に向けられた光ビームのアレイを形成するように構成された、
照明システムのアレイ。
【請求項２５】
請求項１９乃至２３のうちいずれか一項に記載の照明システムと、
人間の来場者が入ることが阻止された阻止領域（９０）であって、前記有色ミラーを照明する前記照明器によって照明される光であり、かつそれることなく前記有色ミラーによって反射される光によって照らされるように配置された前記阻止領域（９０）と、
を備えた建築物。
【請求項２６】
壁、天井（４６）、及び床を有し、太陽及び空の見かけをその中に提供するための建物の部屋（４８）であって、
請求項１乃至１８のうちいずれか一項に記載の有色ミラーと、
前記有色ミラーを照明し、白色光源として構成された照明器（２６）と、
を備え、
前記有色ミラーは、前記部屋（４８）の前記壁又は前記天井（４６）に固定され、
前記照明器（２６）は、前記部屋（４８）内に配置されるか、又は、前記部屋（４８）の前記壁、前記天井（４６）若しくは前記床に配置された、
部屋。
【請求項２７】
前記照明器（２６）の動作中、前記照明器（２６）によって生成された光のうち規則的に反射された低発散の直接光による照明、又は、前記有色ミラーの前記拡散層内の散乱によって生じる青みがかった光による照明が生成される、
請求項２６に記載の部屋。
【手続補正２】
【補正対象書類名】明細書
【補正対象項目名】発明の名称
【補正方法】変更
【補正の内容】
【発明の名称】有色ミラー、照明システム、照明システムのアレイ、建築物、及び部屋
【手続補正３】
【補正対象書類名】明細書
【補正対象項目名】０００１
【補正方法】変更
【補正の内容】
【０００１】
本出願は、有色ミラー、照明システム、照明システムのアレイ、建築物、及び部屋に関する。